(57)【要約】【課題】キャビネット前分体の額縁部と、液晶パネルの周縁部後側を保持してある保持体とにより液晶パネルの周縁部を前後で挾持する構成において、液晶パネル周縁側の防塵性を高めることができる液晶表示装置を提供する。【解決手段】前側に表示面１ａを有する液晶パネル１と、該液晶パネル１の後側に配されているランプ２１及び該ランプ２１を収容支持してあるケース体２２と、液晶パネル１の周縁部及び後側を隠蔽するキャビネット５と、該キャビネット５内で液晶パネル１の後側に配され、該液晶パネル１の周縁部後側を保持してある枠状の保持体４とを備え、キャビネット５は、液晶パネル１の周縁部前側に配され、該液晶パネル１の周縁部を保持体４とにより前後に挾持する額縁部５１を有し、液晶パネル１周縁側の額縁部５１及びケース体２２の周縁部間を防塵する防塵筒部１０を設け、液晶パネル１周縁側の防塵性を高めるようにした。【選択図】図１
2009139760.tif 000002
【特許請求の範囲】
【請求項１】
前側に表示面を有する液晶パネルと、該液晶パネルの周縁部及び後側を隠蔽するキャビネットと、該キャビネット内で前記液晶パネルの後側に配され、該液晶パネルの周縁部後側を保持してある保持体とを備える液晶表示装置において、前記キャビネットは、前記液晶パネルの周縁部前側に配され、該液晶パネルの周縁部を前記保持体とにより前後に挾持する額縁部を有し、該額縁部及び保持体の少なくとも一方は、前記液晶パネルの周縁より外側に配され、前記額縁部及び保持体間を防塵する防塵筒部を有することを特徴とする液晶表示装置。
【請求項２】
前記保持体は、前記液晶パネルへ光を照射するランプを収容支持してあるケース体である請求項１記載の液晶表示装置。
【請求項３】
前記防塵筒部は、前記額縁部及び保持体の他方と接触する弾性部材を有する請求項１記載の液晶表示装置。
【請求項４】
前記防塵筒部は、前記額縁部及び保持体に突設され、端部が互いに重なる第１及び第２の筒部分体である請求項１記載の液晶表示装置。
【請求項５】
前記防塵筒部は、前記額縁部及び保持体の一方に突設され、端面に溝を有する第３の筒部分体と、他方に突設され、その端部が前記溝に挿入される第４の筒部分体である請求項１記載の液晶表示装置。
【発明の詳細な説明】
【技術分野】
【０００１】
本発明は液晶テレビジョン等の液晶表示装置に関する。
【背景技術】
【０００２】
液晶テレビジョン等の液晶表示装置は、前側に表示面を有し直方体をなす液晶パネルと、該液晶パネルの周縁部前側を保持する前保持枠体と、液晶パネルの周縁部後側を保持する後保持枠体と、該後保持枠体の後側に配されている光源部と、液晶パネルの周縁部前側に配される額縁部を有し、液晶パネルの周縁部及び光源部の後側を隠蔽するキャビネットとを備える（例えば、特許文献１、２参照）。
【０００３】
前保持枠体は、液晶パネルの周縁部前面に対向する環板部、及び該環板部の外縁から後方へ延出されている角筒部を有する。後保持枠体は、液晶パネルの周縁部後面に対向する環板部、及び該環板部の外縁から後方へ延出されている角筒部を有し、前保持枠体及び後保持枠体の周方向複数箇所が雄螺子で結合されることにより液晶パネルの周縁部を前後で挾持してあり、また、前保持枠体及び後保持枠体夫々の角筒部により液晶パネルの周縁側を隠蔽し、キャビネットに開設されている放熱孔等からキャビネット内へ侵入した塵埃が液晶パネルの後面に付着するのを防ぐように構成されている。
【０００４】
光源部は上下に離隔して並置されている複数のランプと、前側が開放され、該ランプを支持するケース体とを有し、該ケース体の周縁部に前記キャビネットが取付けられている。
【０００５】
キャビネットは、前保持枠体の環板部（実質的には液晶パネルの周縁部前側）を隠蔽する額縁部、及び該額縁部の外縁から後方へ延出され、前保持枠体より大形の角筒部を有するキャビネット前分体と、ケース体の後側を隠蔽する皿状板部、及び該皿状板部の外縁から前方へ延出され、前保持枠体より大形の角筒部を有するキャビネット後分体とを備え、キャビネット前分体の角筒部及びキャビネット後分体の角筒部同士が嵌合され、額縁部及び皿状板部がケース体の周縁部に複数本の雄螺子で結合されている。
【特許文献１】特開２００６−２１５５１２号公報
【特許文献２】特開２００６−２１５４９２号公報
【発明の開示】
【発明が解決しようとする課題】
【０００６】
ところが、特許文献１、２のように構成された従来の液晶表示装置は、前保持枠体及び後保持枠体が液晶パネルの周縁部を前後で挾持することによりパネルモジュールが形成され、該パネルモジュールがキャビネット内に配されているため、液晶表示装置の薄型化が制限され、改善策が要望されていた。
【０００７】
そこで、本発明の出願人はパネルモジュールを構成する前保持枠体をなくし、キャビネット前分体の額縁部と後保持枠体とにより液晶パネルの周縁部を前後に挾持することにより薄型化することができるように構成した液晶表示装置を先に開発した。
【０００８】
しかし、先に開発された液晶表示装置にあっては、パネルモジュールを構成する前保持枠体がないため、液晶パネル周縁側の防塵性が低下することになり、さらなる改善策が要望されていた。
【０００９】
本発明は斯かる事情に鑑みてなされたものであり、主たる目的はキャビネット前分体の額縁部と、液晶パネルの周縁部後側を保持してある保持体とにより液晶パネルの周縁部を前後で挾持する構成において、額縁部及び保持体の少なくとも一方に、液晶パネルの周縁より外側に配され、額縁部及び保持体間を防塵する防塵筒部を設けることにより、液晶パネル周縁側の防塵性を高めることができる液晶表示装置を提供することにある。
【課題を解決するための手段】
【００１０】
本発明に係る液晶表示装置は、前側に表示面を有する液晶パネルと、該液晶パネルの周縁部及び後側を隠蔽するキャビネットと、該キャビネット内で前記液晶パネルの後側に配され、該液晶パネルの周縁部後側を保持してある保持体とを備える液晶表示装置において、前記キャビネットは、前記液晶パネルの周縁部前側に配され、該液晶パネルの周縁部を前記保持体とにより前後に挾持する額縁部を有し、該額縁部及び保持体の少なくとも一方は、前記液晶パネルの周縁より外側に配され、前記額縁部及び保持体間を防塵する防塵筒部を有することを特徴とする。
【００１１】
この発明にあっては、キャビネット前分体の額縁部と保持体とにより液晶パネルの周縁部を前後で挾持した状態で、液晶パネル周縁側の額縁部及び保持体間を防塵筒部が防塵しているため、液晶パネル周縁側の防塵性を高めることができる。
【００１２】
また、本発明に係る液晶表示装置は、前記保持体は、前記液晶パネルへ光を照射するランプを収容支持してあるケース体であることが好ましい。
この発明にあっては、ランプとともに光源部を構成するケース体が保持体を兼ねており、該ケース体と額縁部とにより液晶パネルの周縁部を挾持しているため、液晶表示装置の前後の厚さをより一層薄くすることができ、また、部品点数を削減でき、軽量化及びコストの低減を図ることができる。
【００１３】
また、本発明に係る液晶表示装置は、前記防塵筒部は、前記額縁部及び保持体の他方と接触する弾性部材を有することが好ましい。
この発明にあっては、液晶パネル周縁側の額縁部及び保持体間を、防塵筒部に設けられている弾性部材を撓ませて遮断することができるため、額縁部、保持体及び防塵筒部の寸法誤差、変形に影響されることなく液晶パネル周縁側の防塵性を高めることができる。
【００１４】
また、本発明に係る液晶表示装置は、前記防塵筒部は、前記額縁部及び保持体に突設され、端部が互いに重なる第１及び第２の筒部分体であることが好ましい。
この発明にあっては、額縁部及び保持体夫々に筒部分体があり、筒部分体の端部同士が重なっているため、額縁部、保持体及び防塵筒部の寸法誤差に影響されることなく液晶パネル周縁側の防塵性を高めることができる。
【００１５】
また、本発明に係る液晶表示装置は、前記防塵筒部は、前記額縁部及び保持体の一方に突設され、端面に溝を有する第３の筒部分体と、他方に突設され、その端部が前記溝に挿入される第４の筒部分体であることが好ましい。
この発明にあっては、額縁部及び保持体夫々に筒部分体があり、一方の筒部分体の溝に、他方の筒部分体の端部が挿入されているため、額縁部、保持体及び防塵筒部の寸法誤差に影響されることなく液晶パネル周縁側の防塵性を高めることができる。
【発明の効果】
【００１６】
本発明によれば、キャビネット前分体の額縁部と保持体とにより液晶パネルの周縁部を前後で挾持した状態で、液晶パネル周縁側の額縁部及び保持体間を防塵筒部が防塵しているため、液晶パネル周縁側の防塵性を高めることができる。
【発明を実施するための最良の形態】
【００１７】
以下本発明をその実施の形態を示す図面に基づいて詳述する。
実施の形態１
図１は本発明に係る液晶表示装置の構成を示す一部を省略した縦断側面図、図２は他の箇所が縦断された断面図、図３は要部の構成を示す拡大断面図である。
【００１８】
この液晶表示装置はテレビ画像を表示する表示面１ａを前側に有する液晶パネル１と、該液晶パネル１の後側に配されている光源部２と、該光源部２及び液晶パネル１間に配されている光学シート３と、該光学シート３及び液晶パネル１間に配され、液晶パネル１の周縁部後側を保持する枠状の保持体４と、液晶パネル１の周縁部前側に配される額縁部５１を有し、液晶パネル１の周縁部及び光源部２の後側を隠蔽するキャビネット５と、光源部２の後面に取付けられているスタンドとを備える液晶テレビジョン、換言すれば液晶表示装置である。
【００１９】
液晶パネル１は略直方体をなし、該液晶パネル１の上縁部前面及び下縁部前面に、電子部品が実装されている複数のフレキシブルプリント基板６の一端が接続されている。
【００２０】
液晶パネル１の後側に配されている保持体４は、液晶パネル１の周縁部後面に対向する矩形の環板部４１と、環板部４１の外縁から後方へ延出されている角筒部４２と、環板部４１の中途から後方へ延出されているシート位置決め凸部４３とを有する。
【００２１】
環板部４１の前面には、液晶パネル１の周縁部を弾性的に受止める帯状の弾性体７が貼着されており、角筒部４２の複数の周方向位置に、後方へ延出されている係止爪４４が一体成形されている。係止爪４４は可撓性を有する脚部の先端に爪部が設けられており、該爪部が後記する被係止部に係止されるように構成されている。また、角筒部４２の上壁外面及び下壁外面にはフレキシブルプリント基板６夫々の他端に接続されているプリント回路基板８が取付けられている。
【００２２】
光源部２は、複数本が上下に離隔して並置されている円筒形をなすランプ２１と、該ランプ２１を収容支持し、且つ光学シート３の周縁部を支持する深皿形をなすケース体２２と、ケース体２２の後壁内面に沿って配され、ケース体２２内に収容されているランプ２１が発光した光をケース体２２の開放側へ反射させる反射シート２３とを備え、ケース体２２の後壁外面に回路基板等の電気部品が取付けられている。
【００２３】
ランプ２１は両端部に電極を有する冷陰極管又は熱陰極管であり、ケース体２２内の両側に並設された凹形保持部に両端部が保持され、また、中間部がランプクリップによりケース体２２の後壁に保持されている。
【００２４】
ケース体２２は略直方体をなし、前側の開放縁には光学シート３のシート面に沿って外方へ延出され、光学シート３の周縁部を受止める受止部２２ａと、該受止部２２ａの外縁から後方へ延出され、延出端から前方へ屈曲する二重角筒部２２ｂと、該二重角筒部２２ｂの端縁から前記シート面に沿う方向へ延出され、額縁部５１の外縁側と対向する環板部２２ｃとを有し、該環板部２２ｃの外縁側の複数の周方向位置に、前後方向へ貫通する貫通孔２４が設けられている。また、後壁の外縁側の複数の周方向位置に、螺子孔２５及び係止爪４４に対応する被係止部２６が夫々開設されている。
【００２５】
キャビネット５は、液晶パネル１の周縁部前側に配され、保持体４の環板部４１を隠蔽する額縁部５１、及び該額縁部５１の外縁から後方へ延出され、保持体４より大形の角筒部５２を有するキャビネット前分体５ａと、ケース体２２の後側を隠蔽する皿状板部５３、及び該皿状板部５３の外縁から前方へ延出され、保持体４より大形の角筒部５４を有するキャビネット後分体５ｂとを備え、角筒部５２，５４同士の嵌合により防塵するように構成されている。
【００２６】
キャビネット前分体５ａの額縁部５１は液晶パネル１より大形に形成され、内周側で液晶パネル１の前面と対向する箇所には、液晶パネル１の周縁部を弾性的に保持する帯状の弾性体９が貼着されており、額縁部５１の外縁側で、環板部４１と対向する位置には、後方へ延出され、額縁部５１及びケース体２２の周縁部間を閉塞して防塵する防塵筒部１０が一体成形されており、また、額縁部５１及び角筒部５２の境界部の複数の周方向位置に、螺子孔５５を有する筒形ボス５５ａが一体成形されている。
【００２７】
防塵筒部１０は、額縁部５１及び環板部２２ｃ間の距離より短く形成され、該防塵筒部１０の端縁に、環板部２２ｃに接触する帯状の弾性部材が両面テープ等の結合手段により結合されている。
【００２８】
キャビネット後分体５ｂの皿状板部５３の外縁部には螺子孔２５に対応する複数の筒形ボス５６が周方向へ離隔して一体成形されており、また、皿状板部５３には複数の放熱孔５７が開設されている。
【００２９】
以上のように構成された液晶表示装置は例えば次の(1) 〜(6) の工程で組立てられる。
(1) 作業台上に開放部を上向にして平置きされたケース体２２内に反射シート２３、ランプ２１が組込まれ、光源部２が形成される。この光源部２の上側に光学シート３が載置され、該光学シート３の周縁部が受止部２２ａに支持される。
(2) 光学シート３の上側に保持体４が載置され、該保持体４の係止爪４４がケース体２２の被係止部２６に嵌入係止され、保持体４及びケース体２２が一体となる。この際、受止部２２ａ及び環板部４１の間で光学シート３の周縁部を保持することができ、また、光学シート３のシート面に沿う方向への移動をシート位置決め凸部４３により規制することができ、光学シート３を位置決めすることができる。
(3) 作業台上に額縁部５１が下側となるように平置きされたキャビネット前分体５ａの内側に液晶パネル１が挿入され、額縁部５１に載置される。
(4) 結合された保持体４及びケース体２２は、保持体４が下側となるように反転され、この反転状態で液晶パネル１の上側に載置される。この際、額縁部５１及び環板部４１が液晶パネル１の周縁を挾持し、また、防塵筒部１０の弾性部材１１が環板部２２ｃに密接状に接触し、液晶パネル１周縁側の額縁部５１及び環板部２２ｃ間を閉塞する。
(5) 環板部２２ｃの貫通孔２４に雄螺子１２を挿入し、該雄螺子１２を、螺子孔５５に緊締することにより、キャビネット前分体５ａ及びケース体２２が一体に結合される。
(6) キャビネット後分体５ｂの筒形ボス５６に雄螺子１３を挿入し、該雄螺子１３を螺子孔２５に緊締することにより、キャビネット前分体５ａ、ケース体２２及びキャビネット後分体５ｂが一体に結合される。
【００３０】
以上のように額縁部５１と保持体４の環板部４１との間で液晶パネル１の周縁部を挾持した際、防塵筒部１０の弾性部材１１がケース体２２の環板部２２ｃに接触し、液晶パネル１周縁側の額縁部５１及びケース体２２の周縁部間を閉塞して防塵するため、図１の矢印に示すようにキャビネット後分体５ｂに開設されている複数の放熱孔５７からキャビネット内へ侵入した塵埃が、ケース体２２及び角筒部５２，４４間の空間を経て額縁部５１及びケース体２２間の空間へ進行することがあっても、この塵埃が額縁部５１及びケース体２２間の空間から液晶パネル１側へ進行するのを防ぐことができ、液晶パネル１の後面に塵埃が付着するのを防ぐことができる。
【００３１】
実施の形態２
図４は本発明に係る液晶表示装置の他の構成を示す一部を省略した縦断側面図、図５は要部の構成を示す拡大断面図である。この液晶表示装置は、実施の形態１における防塵筒部１０を、額縁部５１から後方へ延出されている第１の筒部分体１０ａと、ケース体２２の周縁部から前方へ延出され、第１の筒部分体１０ａの端部と重なる第２の筒部分体１０ｂとを有する構成としたものである。
【００３２】
第１の筒部分体１０ａは額縁部５１の中途に一体成形されており、第２の筒部分体１０ｂは二重角筒部２２ｂの端縁から前方へ延出されている。また、第２の筒部分体１０ｂは第１の筒部分体１０ａよりも小形に形成され、額縁部５１及び環板部４１間で液晶パネル１の周縁部を挾持した際、筒部分体１０ａ，１０ｂ同士が重なり、液晶パネル１周縁側の額縁部５１及びケース体２２の周縁部間を閉塞して防塵することができるように構成されている。
【００３３】
二重角筒部２２ｂの外側角筒部には筒形ボス５５ａに対応する複数の結合片２７が切起しにより形成され、該結合片２７に、螺子孔５５に対応する貫通孔２８が開設されている。
【００３４】
この実施の形態にあっては、結合片２７の貫通孔２８に雄螺子１２を挿入し、該雄螺子１２を、螺子孔５５に緊締することにより、キャビネット前分体５ａ及びケース体２２が一体に結合される。この際、額縁部５１の筒部分体１０ａと、ケース体２２の筒部分体１０ｂとが互いに重なり、液晶パネル１周縁側の額縁部５１及びケース体２２の周縁部間を閉塞して防塵することができる。従って、キャビネット後分体５ｂに開設されている複数の放熱孔からキャビネット５内へ侵入した塵埃が液晶パネル１側へ進行するのを防ぐことができ、液晶パネル１の後面に塵埃が付着するのを防ぐことができる。
【００３５】
また、以上のように構成された液晶表示装置は、実施の形態１と同様の工程で組立られる。
その他の構成及び作用は実施の形態１と同様であるため、同様の部品については同じ符号を付し、その詳細な説明及び作用効果の説明を省略する。
【００３６】
実施の形態３
図６は本発明に係る液晶表示装置の他の構成を示す一部を省略した縦断側面図、図７は要部の構成を示す拡大断面図である。この液晶表示装置は、実施の形態１における防塵筒部１０を、額縁部５１から後方へ延出され、端面に環状の溝１０ｃを有する第３の筒部分体１０ｄと、ケース体２２の周縁部から前方へ延出され、端部が溝１０ｃに挿入される第４の筒部分体１０ｅとを有する構成としたものである。
【００３７】
第３の筒部分体１０ｄは額縁部５１の中途に一体成形されており、第４の筒部分体１０ｅは二重角筒部２２ｂの端縁から前方へ延出されている。また、第４の筒部分体１０ｅは第３の筒部分体１０ｄよりも薄肉に形成され、額縁部５１及び環板部４１間で液晶パネル１の周縁部を挾持した際、第４の筒部分体１０ｅが第３の筒部分体１０ｄの溝１０ｃに挿入されるように構成されている。
【００３８】
二重角筒部２２ｂの外側角筒部には筒形ボス５５ａに対応する複数の結合片２７が切起しにより形成され、該結合片２７に、螺子孔５５に対応する貫通孔２８が開設されている。
【００３９】
この実施の形態にあっては、結合片２７の貫通孔２８に雄螺子１２を挿入し、該雄螺子１２を、螺子孔５５に緊締することにより、キャビネット前分体５ａ及びケース体２２が一体に結合される。この際、ケース体２２の筒部分体１０ｅが額縁部５１の筒部分体１０ｄの溝１０ｃに挿入されて液晶パネル１周縁側の額縁部５１及びケース体２２の周縁部間を閉塞して防塵しているため、キャビネット後分体５ｂに開設されている複数の放熱孔からキャビネット５内へ侵入した塵埃が液晶パネル１側へ進行するのを防ぐことができ、液晶パネル１の後面に塵埃が付着するのを防ぐことができる。
【００４０】
また、以上のように構成された液晶表示装置は、実施の形態１と同様の工程で組立られる。
その他の構成及び作用は実施の形態１と同様であるため、同様の部品については同じ符号を付し、その詳細な説明及び作用効果の説明を省略する。
【００４１】
尚、以上説明した実施の形態では、額縁部５１及び角筒部５２を有するキャビネット前分体５ａを有する構成としたが、その他、角筒部５２がなく、額縁部５１がキャビネット前分体５ａである構成としてもよい。この場合、キャビネット後分体５ｂの角筒部５４は額縁部５１に至るまで延出される。
【００４２】
また、以上説明した実施の形態１では額縁部５１に防塵筒部１０を設けたが、その他、防塵筒部１０はケース体２２の周縁部（例えば環板部２２ｃ）に設ける構成としてもよい。この場合、防塵筒部１０の端面に弾性部材１１が設けられる。
【００４３】
また、以上説明した実施の形態１では保持体４をケース体２２に結合し、額縁部５１に突設された防塵筒部１０をケース体２２に接触させるか、又は筒部分体１０ｂ，１０ｅをケース体２２に設けたが、その他、額縁部５１に突設された防塵筒部１０が接触する被接触部を保持体４の周縁部に設けるか、又は筒部分体１０ａ，１０ｄを保持体４の周縁部に設ける構成としてもよい。
【００４４】
また、以上説明した実施の形態１では、防塵筒部１０を環状とし、筒部分体１０ａ，１０ｂ，１０ｄ，１０ｅを環状としたが、その他、防塵筒部１０、筒部分体１０ａ，１０ｂ，１０ｄ，１０ｅは周方向の一部が欠除された筒形、又は周方向へ離隔して配された筒形の構成としてもよい。
【図面の簡単な説明】
【００４５】
【図１】本発明に係る液晶表示装置の構成を示す一部を省略した縦断側面図である。
【図２】本発明に係る液晶表示装置の他の箇所が縦断された断面図である。
【図３】本発明に係る液晶表示装置の要部の構成を示す拡大断面図である。
【図４】本発明に係る液晶表示装置の他の構成を示す一部を省略した縦断側面図である。
【図５】本発明に係る液晶表示装置の要部の構成を示す拡大断面図である。
【図６】本発明に係る液晶表示装置の他の構成を示す一部を省略した縦断側面図である。
【図７】本発明に係る液晶表示装置の要部の構成を示す拡大断面図である。
【符号の説明】
【００４６】
１    液晶パネル
１ａ  表示面
２１  ランプ
２２  ケース体
４    保持体
５    キャビネット
５１  額縁部
４    保持体
１０  防塵筒部
１０ａ  第１の筒部分体
１０ｂ  第２の筒部分体
１０ｃ  溝
１０ｄ  第３の筒部分体
１０ｅ  第４の筒部分体
【図１】
2009139760.tif 000003
【図２】
2009139760.tif 000004
【図３】
2009139760.tif 000005
【図４】
2009139760.tif 000006
【図５】
2009139760.tif 000007
【図６】
2009139760.tif 000008
【図７】
2009139760.tif 000009